(57)【要約】【課題】  本発明は一方の建物に対し、傾斜状態で設けられた他方の建物が不等沈下しても、一方の建物の渡り廊下本体側の目地プレートは上方へ突出して危険な状態になるのを効率よく阻止して、安全に使用することができる渡り廊下用床目地装置を得るにある。【解決手段】  一方の建物より突出させた渡り廊下本体と、この渡り廊下本体の先端部と所定の傾斜状態となる他方の建物に形成された、該渡り廊下本体と対応する開口部と、この開口部の下部位置の他方の建物の外壁に固定されたガイドレールと、このガイドレールに沿ってスライド移動し、かつ前記渡り廊下本体の目地部側床面にスライド移動可能に取付けられた目地プレートとからなる渡り廊下用床目地装置において、目地プレートに該目地プレートの先端部が、側面の長さが短い方となるほぼ対角線部分を中心に曲げる曲げ部を形成して渡り廊下用床目地装置を構成している。【選択図】  図１
2011047159.tif 000002
【特許請求の範囲】
【請求項１】
一方の建物より突出させた渡り廊下本体と、この渡り廊下本体の先端部と所定の傾斜状態となる他方の建物に形成された、該渡り廊下本体と対応する開口部と、この開口部の下部位置の他方の建物の外壁に固定されたガイドレールと、このガイドレールに沿ってスライド移動し、かつ前記渡り廊下本体の目地部側床面にスライド移動可能に取付けられた目地プレートとからなる渡り廊下用床目地装置において、前記目地プレートに該目地プレートの先端部が、側面の長さが短い方となるほぼ対角線部分を中心に曲げる曲げ部を形成したことを特徴とする渡り廊下用床目地装置。
【請求項２】
目地プレートの両側部には該目地プレートが傾斜しても渡り廊下本体の内壁面と当接するように、わずかに回動できるように左右方向の手摺が取付けられていることを特徴とする請求項１記載の渡り廊下用床目地装置。
【請求項３】
ガイドレールに沿ってスライド移動する部位の目地プレートの両側には、該ガイドレールに沿ってスライド移動する前後方向の手摺が固定されていることを特徴とする請求項１記載の渡り廊下用床目地装置。
【発明の詳細な説明】
【技術分野】
【０００１】
本発明は建物と建物とを接続する渡り廊下用床目地装置に関する。
【背景技術】
【０００２】
従来、一方の建物より突出させた渡り廊下本体と、この渡り廊下本体の先端部と直角に設けられた他方の建物の開口部とを接続する渡り廊下用床目地装置が本出願人により実用化されている。
【０００３】
しかしながら、渡り廊下本体の先端部と所定の傾斜状態となるように設置された他方の建物の開口部との間に従来の渡り廊下用床目地装置を設置すると、一方の建物と他方の建物とに不等沈下が生じた場合、目地プレートの渡り廊下本体側の角部が上方へ突出して、危険になるという欠点があった。
【先行技術文献】
【特許文献】
【０００４】
【特許文献１】特開２００９−４１２４５
【発明の概要】
【発明が解決しようとする課題】
【０００５】
本発明は以上のような従来の欠点に鑑み、一方の建物に対し、傾斜状態で設けられた他方の建物が不等沈下しても、一方の建物の渡り廊下本体側の目地プレートは上方へ突出して危険な状態になるのを効率よく阻止して、安全に使用することができる渡り廊下用床目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は一方の建物より突出させた渡り廊下本体と、この渡り廊下本体の先端部と所定の傾斜状態となる他方の建物に形成された、該渡り廊下本体と対応する開口部と、この開口部の下部位置の他方の建物の外壁に固定されたガイドレールと、このガイドレールに沿ってスライド移動し、かつ前記渡り廊下本体の目地部側床面にスライド移動可能に取付けられた目地プレートとからなる渡り廊下用床目地装置において、前記目地プレートに該目地プレートの先端部が、側面の長さが短い方となるほぼ対角線部分を中心に曲げる曲げ部を形成して渡り廊下用床目地装置を構成している。
【発明の効果】
【０００９】
以上の説明から明らかなように、本発明にあっては次に列挙する効果が得られる。
（１）目地プレートをほぼ対角線部分に曲げ部を形成したので、他方の建物が一方の建物の渡り廊下本体の先端部と所定の傾斜状態で設けられていて、不等沈下しても、渡り廊下本体側の目地プレートの端部が上方へ突出するのを、目地プレートの曲げ部によって阻止することができる。
【００１０】
したがって、不等沈下時に目地プレートの渡り廊下本体側が上方へ突出して危険になるのを効率よく阻止して、安全に使用することができる。
（２）前記（１）により、目地プレートに曲げ部を形成するだけでよく、簡単で、安価に設置することができる。
（３）前記（１）により、目地プレートに曲げ部を形成するだけで、他方の建物が渡り廊下本体の先端部より所定の傾斜がある部分に使用することができ、設置が容易にできる。
（４）請求項２は前記（１）〜（３）と同様な効果が得られるとともに、手摺を渡り廊下本体の側壁に取付けることができ、より安全に使用することができる。
（５）請求項３も前記（１）〜（３）と同様な効果が得られるとともに、地震で一方の建物と他方の建物が左右方向や前後方向に揺れ動いても、手摺で覆われるため、安全に使用することができる。
【図面の簡単な説明】
【００１１】
【図１】本発明を実施するための第１の形態の平面図。
【図２】図1の２−２線に沿う断面図。
【図３】本発明を実施するための第１の形態の目地プレートの説明図。
【図４】図1の４−４線に沿う断面図。
【図５】本発明を実施するための第１の形態の目地部が狭くなる移動状態の説明図。
【図６】本発明を実施するための第１の形態の目地部が広くなる移動状態の説明図。
【図７】本発明を実施するための第１の形態の異なる前後方向の一方の移動状態の説明図。
【図８】本発明を実施するための第１の形態の異なる前後方向の他方の移動状態の説明図。
【図９】本発明を実施するための第１の形態の不等沈下した状態の断面図。
【図１０】図9の１０−１０線に沿う断面図。
【図１１】本発明を実施するための第２の形態の平面図。
【図１２】図１１の１２−１２線に沿う断面図。
【図１３】本発明を実施するための第２の形態の目地プレートの説明図。
【図１４】本発明を実施するための第３の形態の平面図。
【図１５】図１４の１５−１５線に沿う断面図。
【図１６】本発明を実施するための第３の形態の目地プレートの説明図。
【発明を実施するための形態】
【００１２】
以下、図面に示す本発明を実施するための形態により、本発明を詳細に説明する。
【００１３】
図１ないし図１０に示す本発明を実施するための第１の形態において、１は本発明の渡り廊下用床目地装置で、この渡り廊下用床目地装置1は一方の建物２より突出させた渡り廊下本体３と、この渡り廊下本体３の先端部３ａと目地部4を介して所定の傾斜状態となるように設けられた他方の建物５に形成された、該渡り廊下本体３と対応する開口部6と、この開口部６の下部位置の他方の建物５の外壁５ａにほぼ水平に多数本のタッピングビス7等で固定されたガイドレール８と、このガイドレール８に複数個のローラー9を介してスライド移動するスライドレール１０と、前記渡り廊下本体３の先端部寄りの床面に形成された反目地部側が傾斜面１１に形成された目地プレートスライド支持凹部１２と、前記開口部６側に位置するスライドレール１０に前記傾斜の外壁５ａと同じ傾斜１３の後端部が複数本の枢支ピン１４、１４、１４で枢支され、先端部が前記目地プレートスライド支持凹部１２を覆う目地プレート1５と、この目地プレート1５に該目地プレート１５の先端部が、側面の長さが短い方とほぼ対角線部分を中心に曲げる曲げ部１６と、前記渡り廊下本体３の両内壁面３ｂ、３ｂに上部が左右方向にスライド移動可能に係止具１７、１７で係止され、下端部が前記目地プレート１５の両側部にわずかに回動できるように取付具１８、１８で取付けられた目地プレート１５の両側を覆う左右方向の手摺１９、１９と、前記目地プレート１５の後端部の両側部のスライドレール１０に下端部が固定され、かつ上部が前記他方の建物５の外壁５ａにスライド移動可能に係止具２０、２０で係止された前後方向の手摺２１、２１とで構成されている。
【００１４】
前記目地プレートスライド支持凹部１２は図２に示すように、底面が、目地部４側が順次下方へ位置する傾斜面２２に形成されている。
【００１５】
前記目地プレート１５は図３に示すように、ほぼ対角線部分で前記渡り廊下本体３の先端部より突出量の少ない側の一方の目地プレート２３と他方の目地プレート２４となるように分割され、分割部分の底面を複数個のヒンジ部材２５で接続し、分割部分を中心に一方の目地プレート２３と他方の目地プレート２４の両側部が下方へ曲がる曲げ部２６が形成され、かつ前記他方の目地プレート２４の先端部が傾斜面２７になるように形成されている。
【００１６】
なお、前後方向の手摺２１、２１は前記目地プレート１５の後端部の両側部に固定してもよいが、前記左右の手摺１９、１９とは固定しない状態で取付けることにより、目地プレート１５が曲げ部２６で曲がる場合に、左右の手摺１９、１９の回動をスムーズに行なわせることができる。
【００１７】
上記構成の渡り廊下用床目地装置１は、目地部４が狭くなるように地震で一方の建物２と他方の建物５が揺れ動いた場合、図５に示すように目地プレート１５の後端部が他方の建物５によって先端部方向へ押し圧され、先端部が渡り廊下本体３の目地プレートスライド支持凹部１２をスライド移動して、床面上へ突出してその揺れ動きを吸収する。
【００１８】
地震で目地部４が広くなるように揺れ動いた場合、図６に示すように目地プレート１５の後端部は他方の建物５にスライドレール１０を介してガイドレール８に取付けられているため、一体となって移動する。このため、目地プレート１５の先端部は目地プレートスライド支持凹部１２をスライド移動して、その揺れ動きを吸収する。
【００１９】
地震で異なる前後方向の一方へ揺れ動いた場合、図７に示すように目地プレート１５は渡り廊下本体３と一体になって前後方向へ移動するため、目地プレート１５の後端部はスライドレール１０を介してガイドレール８に沿って移動する。この時、他方の建物５の開口部６と左右方向の手摺１９との間に生じる隙間は前後方向の手摺２１によって覆われ、開口部が生じるのを防止することができる。
【００２０】
また、地震で異なる前後方向の他方へ揺れ動いた場合、図８に示すように目地プレート１５は渡り廊下本体３と一体になって前後方向に移動するため、目地プレート１５の後端部はスライドレール１０を介してガイドレール８に沿って移動する。この時、他方の建物５の開口部６と左右方向の手摺１９との間に生じる隙間は前後方向の手摺２１によって覆われ、開口部が生じるのを防止することができる。
【００２１】
地震等で他方の建物５が不等沈下した場合、図９および図１０に示すように目地プレート１５の後端部側が下方へ沈下し、渡り廊下本体３の先端部に当接した場合、目地プレート１５は曲げ部２６より曲がり、渡り廊下本体３の先端部より長く突出している他方の目地プレート２４の先端部側を上方へ押し上げる力を吸収することができ、目地プレート１５の先端部が上方へ大きく突出するのを阻止することができる。
【００２２】
なお、目地プレート１５が曲げ部２６で曲がっても、目地プレート１５の両側部に取付けられた左右方向の手摺１９、１９の下部は取付具１８、１８で回動可能に取付けられているため、左右方向の手摺１９、１９が渡り廊下本体３の内壁面３ｂ、３ｂに衝突して、損傷したりするのを効率よく阻止することができる。
【００２３】
なお、渡り廊下本体３の先端部３ａと目地部4を介して所定の傾斜状態となるように設けられた他方の建物５は、あらかじめ一方の建物２と他方の建物５とが設置されている場合と、いずれか一方をこれから設置する場合の両方が考えられる。
【００２４】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２５】
図１１ないし図１３に示す本発明を実施するための第２の形態において、前記本発明を実施するための第１の形態と主に異なる点は、他方の目地プレート２４Ａの先端部を水平に形成し、上部にヒンジ部材２８を介してカバープレート２９を設けた目地プレート１５Ａを用いた点で、このような他方の目地プレート２４Ａを使用した目地プレート１５Ａを用いて構成した渡り廊下用床目地装置１Ａにしても、前記本発明を実施するための第１の形態と同様な作用効果が得られる。
【００２６】
図１４ないし図１６に示す本発明を実施するための第３の形態において、前記本発明を実施するための第１の形態と主に異なる点は、一方の目地プレート２３Ａと他方の目地プレート２４Ｂとの間に、下部が拡開する傾斜面３０、３１となる側壁２３ａ、２３ａを形成し、上部をヒンジ部材３２で接続し、曲げ部２６Ａを形成した目地プレート１５Ｂを用いた点で、このような目地プレート１５Ｂを用いて構成した渡り廊下用床目地装置１Ｂにしても、前記本発明を実施するための第１の形態と同様な作用効果が得られるとともに、目地プレート１５Ｂの曲げ部２６Ａで曲がっても、該曲げ部２６Ａの上面の隙間が大きくなるのを阻止することができる。
【産業上の利用可能性】
【００２７】
本発明は一方が傾斜状態の目地部を設けた部分に設ける渡り廊下の渡り廊下用床目地装置を製造する産業に利用される。
【符号の説明】
【００２８】
１、１Ａ、１Ｂ：渡り廊下用床目地装置、
２：一方の建物、          ３：渡り廊下本体、
４：目地部、              ５：他方の建物、  
６：開口部、              ７：タッピングビス、
８：ガイドレール、        ９：ローラー、
１０：スライドレール、  １１：傾斜面、
１２：目地プレートスライド支持凹部、
１３：傾斜、            １４：枢支ピン
１５、１５Ａ、１５Ｂ：目地プレート、
１６：曲げ部、          １７：係止具、
１８：取付具、          １９：左右方向の手摺、
２０：係止具、          ２１：前後方向の手摺、
２２：傾斜面、          ２３：一方の目地プレート、
２４、２４Ａ：他方の目地プレート、
２５：ヒンジ部材、      ２６、２６Ａ：曲げ部、
２７：傾斜面、          ２８：ヒンジ部材、
２９：カバープレート、  ３０、３１：傾斜面、
３２：ヒンジ部材。
【図１】
2011047159.tif 000003
【図２】
2011047159.tif 000004
【図３】
2011047159.tif 000005
【図４】
2011047159.tif 000006
【図５】
2011047159.tif 000007
【図６】
2011047159.tif 000008
【図７】
2011047159.tif 000009
【図８】
2011047159.tif 000010
【図９】
2011047159.tif 000011
【図１０】
2011047159.tif 000012
【図１１】
2011047159.tif 000013
【図１２】
2011047159.tif 000014
【図１３】
2011047159.tif 000015
【図１４】
2011047159.tif 000016
【図１５】
2011047159.tif 000017
【図１６】
2011047159.tif 000018